【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
外科手術ワークフローを測定するための装置であって、前記装置は、
患者の外科手術に関連する複数の外科手術パラメータに対応する複数の入力を受信するための命令を用いて構成される、プロセッサ
を備える、装置。
【請求項２】
前記複数の入力は、縫合パックからの針の除去または針受器内の針の配置のうちの１つまたはそれを上回るものに対応する複数の時間を備える、請求項１に記載の装置。
【請求項３】
前記プロセッサは、第１の針および第２の針が、前記第１の針が針受器内に配置されることなく縫合パックから除去されたとき、アラートを提供するように構成される、請求項１に記載の装置。
【請求項４】
前記プロセッサは、縫合針が、前記針が受器内に配置される前にパックから除去されたとき、アラートを提供するように構成される、請求項１に記載の装置。
【請求項５】
前記複数の入力は、複数の針のそれぞれが縫合パックから除去される、複数の時間を備える、請求項２に記載の装置。
【請求項６】
前記複数の入力は、複数の針のそれぞれが針受器内に配置される、複数の時間を備える、請求項２に記載の装置。
【請求項７】
前記複数の入力は、縫合パックからの一意の識別子を備える、請求項２に記載の装置。
【請求項８】
前記複数の入力は、複数の縫合パックのうちの１つまたはそれを上回るものまたは複数の針のそれぞれからの複数の一意の識別子を備える、請求項２に記載の装置。
【請求項９】
前記複数の入力は、複数の針受器からの複数の一意の識別子を備える、請求項２に記載の装置。
【請求項１０】
前記複数の入力は、複数の縫合パックからの複数の一意の識別子と、複数の針受器からの複数の一意の識別子と、前記複数の針のそれぞれが対応する縫合パックから除去される複数の時間と、前記複数の針のそれぞれが対応する針受器内に配置される複数の時間とを備える、請求項２に記載の装置。
【請求項１１】
前記複数の入力は、外科手術用障壁を装着する人物の一意の識別子を備える、請求項２に記載の装置。
【請求項１２】
前記複数の入力は、外科手術中に人物によって装着される外科手術用障壁の一意の識別子を備える、請求項２に記載の装置。
【請求項１３】
前記プロセッサは、前記複数の時間を、光学画像、医師の口述、ビデオ画像、スマートフォン画像、蛍光透視法放射線量、ｘ線からのｘ線放射線量、ホルダからの器具除去、ホルダの中への器具配置、電気焼灼デバイスからの電気焼灼適用量、インプラントが前記患者内に留置される埋込時間、オーディオ記録、または画像のうちの１つまたはそれを上回るものからの複数の時間に登録するための命令を備える、請求項２に記載の装置。
【請求項１４】
前記プロセッサは、前記複数の時間に応答して、外科手術切開部を閉鎖するための時間量を判定するための命令を備える、請求項２に記載の装置。
【請求項１５】
前記プロセッサは、パックからの縫合糸除去、縫合糸受器内の縫合糸配置、ビデオ画像、医師の口述、ビデオ画像、スマートフォン画像、蛍光透視法放射線量、ｘ線からのｘ線放射線量、ホルダからの器具除去、ホルダの中への器具配置、電気焼灼デバイスからの電気焼灼適用量、インプラントが前記患者内に留置される埋込時間、オーディオ記録、または画像のうちの１つまたはそれを上回るものに関する共通時間基準を伴うグラフを生成するための命令を備え、随意に、前記グラフは、ユーザが前記グラフの構造を識別し、前記構造の付加的詳細を閲覧し得る、双方向性データファイルを備え、随意に、前記グラフの識別される構造は、パックからの縫合糸除去、縫合糸受器内の縫合糸配置、ビデオ画像、医師の口述、ビデオ画像、スマートフォン画像、蛍光透視法放射線量、ｘ線からのｘ線放射線量、ホルダからの器具除去、ホルダの中への器具配置、電気焼灼デバイスからの電気焼灼適用量、インプラントが前記患者内に留置される埋込時間、オーディオ記録、または画像のうちの１つまたはそれを上回るものに関連する情報を備える、請求項１に記載の装置。
【手続補正２】
【補正対象書類名】明細書
【補正対象項目名】００６３
【補正方法】変更
【補正の内容】
【００６３】
本発明の実施形態は、手術室内のワークフローを対象とするが、本発明の方法、デバイス、装置、システム、およびコンピュータプログラム製品は、他の環境におけるデータ捕捉に適用可能であり得る。本明細書に説明される上記および他の特徴の種々の組み合わせおよび構成が、想定され、本開示内である。
本発明は、例えば、以下を提供する。
（項目１）
外科手術ワークフローを測定するための装置であって、前記装置は、
患者の外科手術に関連する複数の外科手術パラメータに対応する複数の入力を受信するための命令とともに構成される、プロセッサ
を備える、装置。
（項目２）
前記複数の入力は、縫合パックからの針の除去または針受器内の針の配置のうちの１つまたはそれを上回るものに対応する複数の時間を備える、項目１に記載の装置。
（項目３）
前記プロセッサは、第１の針および第２の針が、前記第１の針が針受器内に配置されることなく縫合パックから除去されたとき、アラートを提供するように構成される、項目１に記載の装置。
（項目４）
前記プロセッサは、縫合針が、前記針が受器内に配置される前にパックから除去されたとき、アラートを提供するように構成される、項目１に記載の装置。
（項目５）
前記複数の入力は、複数の針のそれぞれが縫合パックから除去される、複数の時間を備える、項目２に記載の装置。
（項目６）
前記複数の入力は、複数の針のそれぞれが針受器内に配置される、複数の時間を備える、項目２に記載の装置。
（項目７）
前記複数の入力は、縫合パックからの一意の識別子を備える、項目２に記載の装置。
（項目８）
前記複数の入力は、複数の縫合パックのうちの１つまたはそれを上回るものまたは複数の針のそれぞれからの複数の一意の識別子を備える、項目２に記載の装置。
（項目９）
前記複数の入力は、複数の針受器からの複数の一意の識別子を備える、項目２に記載の装置。
（項目１０）
前記複数の入力は、複数の縫合パックからの複数の一意の識別子と、複数の針受器からの複数の一意の識別子と、前記複数の針のそれぞれが対応する縫合パックから除去される複数の時間と、前記複数の針のそれぞれが対応する針受器内に配置される複数の時間とを備える、項目２に記載の装置。
（項目１１）
前記複数の入力は、外科手術用障壁を装着する人物の一意の識別子を備える、項目２に記載の装置。
（項目１２）
前記複数の入力は、外科手術中に人物によって装着される外科手術用障壁の一意の識別子を備える、項目２に記載の装置。
（項目１３）
前記プロセッサは、前記複数の時間を、光学画像、医師の口述、ビデオ画像、スマートフォン画像、蛍光透視法放射線量、ｘ線からのｘ線放射線量、ホルダからの器具除去、ホルダの中への器具配置、電気焼灼デバイスからの電気焼灼適用量、インプラントが前記患者内に留置される埋込時間、オーディオ記録、または画像のうちの１つまたはそれを上回るものからの複数の時間に登録するための命令を備える、項目２に記載の装置。
（項目１４）
前記プロセッサは、前記複数の時間に応答して、外科手術切開部を閉鎖するための時間量を判定するための命令を備える、項目２に記載の装置。
（項目１５）
前記プロセッサは、パックからの縫合糸除去、縫合糸受器内の縫合糸配置、ビデオ画像、医師の口述、ビデオ画像、スマートフォン画像、蛍光透視法放射線量、ｘ線からのｘ線放射線量、ホルダからの器具除去、ホルダの中への器具配置、電気焼灼デバイスからの電気焼灼適用量、インプラントが前記患者内に留置される埋込時間、オーディオ記録、または画像のうちの１つまたはそれを上回るものに関する共通時間基準を伴うグラフを生成するための命令を備える、項目１に記載の装置。
（項目１６）
前記グラフは、ユーザが前記グラフの構造を識別し、前記構造の付加的詳細を閲覧し得る、双方向性データファイルを備える、項目１５に記載の装置。
（項目１７）
前記グラフの識別される構造は、パックからの縫合糸除去、縫合糸受器内の縫合糸配置、ビデオ画像、医師の口述、ビデオ画像、スマートフォン画像、蛍光透視法放射線量、ｘ線からのｘ線放射線量、ホルダからの器具除去、ホルダの中への器具配置、電気焼灼デバイスからの電気焼灼適用量、インプラントが前記患者内に留置される埋込時間、オーディオ記録、または画像のうちの１つまたはそれを上回るものに関連する情報を備える、項目１６に記載の装置。
（項目１８）
前記プロセッサは、プロセッサシステムを含む、項目１に記載の装置。
（項目１９）
外科手術ワークフローを測定するための方法であって、前記方法は、
プロセッサを用いて、患者の外科手術に関連する複数の外科手術パラメータに対応する複数の入力を受信するステップ
を含む、方法。
（項目２０）
前記プロセッサは、縫合針が、前記針が受器内に配置される前にパックから除去されたとき、アラートを提供する、項目１９に記載の方法。
（項目２１）
前記プロセッサは、第１の針および第２の針が、前記第１の針が針受器内に配置されることなく縫合パックから除去されたとき、アラートを提供する、項目１９に記載の方法。
（項目２２）
前記複数の入力は、縫合パックからの針の除去または針受器内の針の配置のうちの１つまたはそれを上回るものに対応する複数の時間を備える、項目１９に記載の方法。
（項目２３）
前記複数の入力は、複数の針のそれぞれが縫合パックから除去される複数の時間を備える、項目２２に記載の方法。
（項目２４）
前記複数の入力は、複数の針のそれぞれが針受器内に配置される複数の時間を備える、項目２２に記載の方法。
（項目２５）
前記複数の入力は、縫合パックからの一意の識別子を備える、項目２２に記載の方法。
（項目２６）
前記複数の入力は、複数の縫合パックからの複数の一意の識別子を備える、項目２２に記載の方法。
（項目２７）
前記複数の入力は、複数の針受器からの複数の一意の識別子を備える、項目２２に記載の方法。
（項目２８）
前記複数の入力は、複数の縫合パックからの複数の一意の識別子と、複数の針受器からの複数の一意の識別子と、前記複数の針のそれぞれが対応する縫合パックから除去される複数の時間と、前記複数の針のそれぞれが対応する針受器内に配置される複数の時間とを備える、項目２２に記載の方法。
（項目２９）
前記複数の時間を、光学画像、医師の口述、ビデオ画像、スマートフォン画像、蛍光透視法放射線量、ｘ線からのｘ線放射線量、ホルダからの器具除去、ホルダの中への器具配置、電気焼灼デバイスからの電気焼灼適用量、インプラントが前記患者内に留置される埋込時間、オーディオ記録、または画像のうちの１つまたはそれを上回るものからの複数の時間に登録するステップをさらに含む、項目２２に記載の方法。
（項目３０）
前記複数の時間に応答して、外科手術切開部を閉鎖するための時間量を判定するステップをさらに含む、項目２２に記載の方法。
（項目３１）
パックからの縫合糸除去、縫合糸受器内の縫合糸配置、ビデオ画像、医師の口述、ビデオ画像、スマートフォン画像、蛍光透視法放射線量、ｘ線からのｘ線放射線量、ホルダからの器具除去、ホルダの中への器具配置、電気焼灼デバイスからの電気焼灼適用量、インプラントが前記患者内に留置される埋込時間、オーディオ記録、または画像のうちの１つまたはそれを上回るものに関する共通時間基準を伴うグラフを生成するステップをさらに含む、項目１９に記載の方法。
（項目３２）
前記グラフは、ユーザが前記グラフの構造を識別し、前記構造の付加的詳細を閲覧し得る、双方向性データファイルを備える、項目３１に記載の方法。
（項目３３）
前記プロセッサは、プロセッサシステムを含む、項目１に記載の方法。
（項目３４）
装置であって、
ディスプレイと、
前記ディスプレイに結合される、プロセッサであって、前記プロセッサは、縫合パックからの針の除去または針受器内の針の配置のうちの１つまたはそれを上回るものに対応する複数の時間を示すグラフを示すための命令を備える、プロセッサと、
を備える、装置。
（項目３５）
外科手術のための装置であって、
ディスプレイと、
前記ディスプレイに結合される、プロセッサであって、前記プロセッサは、ユーザ入力を受信し、光学画像捕捉をトリガし、タイムスタンプとともに前記光学画像を記憶するための命令と、オーディオトリガに応答して、ユーザからオーディオ入力を受信するための命令とを備える、プロセッサと、
滅菌容器であって、前記滅菌容器は、前記ユーザが前記滅菌容器を通して命令を入力するように構成される、滅菌容器と、
を備える、装置。
（項目３６）
前記ディスプレイは、スマートフォンのタッチスクリーンディスプレイを含み、前記滅菌容器は、前記ユーザが前記滅菌容器を通して前記タッチスクリーンディスプレイに入力を提供するように構成される、項目３５に記載の装置。
（項目３７）
前記滅菌容器は、滅菌バッグを含む、項目３５に記載の装置。
（項目３８）
カメラをさらに備え、ユーザ調節可能支持体は、ユーザが外科手術画像を捕捉するように前記カメラを位置付けるために、前記カメラ、前記ディスプレイ、および前記プロセッサを支持するように構成される、項目３５に記載の装置。
（項目３９）
方法であって、前記項目のうちのいずれか１項に記載の装置を提供するステップを含む、方法。
（項目４０）
外科手術チームを外科手術手技に割り当てるための方法であって、
前記外科手術手技と関連付けられる１つまたはそれを上回る外科手術パラメータを受信するステップと、
プロセッサによって、前記外科手術パラメータに基づいて、前記外科手術チームの１人またはそれを上回るメンバーを選択するステップと、
を含む、方法。
（項目４１）
コンピュータネットワークを経由して、前記外科手術チームの１人またはそれを上回るメンバーのインジケーションを出力するステップをさらに含む、項目４０に記載の方法。
（項目４２）
ユーザに、前記外科手術チームの１人またはそれを上回るメンバーのインジケーションを表示するステップをさらに含む、項目４０に記載の方法。
（項目４３）
前記外科手術パラメータは、外科手術手技の時間の長さ、外科手術手技のタイプ、外科手術手技の複雑性、または前記外科手術手技を受ける患者のうちの少なくとも１つを含む、項目４０に記載の方法。
（項目４４）
前記外科手術チームの１人またはそれを上回るメンバーは、外科医、補助外科医、外科技師、麻酔専門医、麻酔技師、看護師、または助手のうちの少なくとも１人を備える、項目４０に記載の方法。
（項目４５）
外科手術チームの第１の複数のメンバーのインジケーションを受信するステップと、
前記外科手術チームの不足のインジケーションを受信するステップと、
前記プロセッサによって、前記不足に基づいて、第２の複数のメンバーを備えるように前記外科手術チームを修正するステップと、
をさらに含む、項目４０に記載の方法。
（項目４６）
前記外科手術チームを修正するステップは、前記第２の複数のメンバーを生成するために、あるメンバーを前記第１の複数のメンバーに追加するステップを含む、項目４５に記載の方法。
（項目４７）
前記外科手術チームを修正するステップは、前記第２の複数のメンバーを生成するために、あるメンバーを前記第１の複数のメンバーから除去するステップを含む、項目４５に記載の方法。
（項目４８）
前記プロセッサによって、前記外科手術チームの不足を識別するステップをさらに含む、項目４５に記載の方法。
（項目４９）
前記外科手術チームの不足を識別するステップは、前記外科手術チームとしての前記第１の複数のメンバーの過去の実績を分析するステップに基づく、項目４５に記載の方法。
（項目５０）
前記外科手術チームの不足を識別するステップは、個人としての前記第１の複数のメンバーのうちの１人またはそれを上回る人の過去の実績を分析するステップに基づく、項目４５に記載の方法。
（項目５１）
前記外科手術チームの不足を識別するステップは、前記複数のメンバーのサブセットの過去の実績またはそれらの間の相互作用を分析するステップに基づく、項目４５に記載の方法。
（項目５２）
前記不足は、技能のレベル、経験のレベル、速度、コスト、チームメンバーの数、チームの相性、スケジュール、または疲労レベルのうちの１つまたはそれを上回るものに関連する、項目４５に記載の方法。
（項目５３）
前記外科手術チームの１人またはそれを上回るメンバーを手術室に割り当てるステップをさらに含む、項目４０に記載の方法。
（項目５４）
外科手術チームを手術室に割り当てるための方法であって、
複数の外科手術手技および各外科手術手技に対応する１つまたはそれを上回る個別の外科手術パラメータを受信するステップと、
少なくとも１つの手術室を受信するステップと、
複数の外科手術チームメンバーを受信するステップであって、前記複数の外科手術チームメンバーは、外科医、補助外科医、外科技師、麻酔専門医、麻酔技師、看護師、または助手のうちの少なくとも１人を含む、ステップと、
プロセッサによって、外科手術手技毎に、前記個別の外科手術パラメータに基づいて、前記複数の外科手術チームメンバーのサブセットを備える対応する外科手術チームを前記外科手術手技に割り当てるステップと、
各外科手術手技を前記少なくとも１つの手術室の手術室に割り当てるステップと、
を含む、方法。
（項目５５）
コンピュータネットワークを経由して、前記複数の外科手術手技の第１の外科手術手技ならびに前記対応する手術室および外科手術チームのインジケーションを出力するステップをさらに含む、項目５４に記載の方法。
（項目５６）
ユーザに、前記複数の外科手術手技の第１の外科手術手技ならびに前記対応する手術室および外科手術チームのインジケーションを表示するステップをさらに含む、項目５４に記載の方法。
（項目５７）
前記複数の外科手術手技は、前記少なくとも１つの手術室の可用性に基づいて、前記少なくとも１つの手術室に割り当てられる、項目５４に記載の方法。
（項目５８）
前記割り当てられた個別の外科手術チームに基づいて、各外科手術手技を完了するための時間の長さを推定するステップをさらに含み、前記複数の外科手術手技は、外科手術手技の推定された時間の長さに基づいて、前記少なくとも１つの手術室に割り当てられる、項目５４に記載の方法。
（項目５９）
ユーザに、ある時間期間全体を通して前記少なくとも１つの手術室に割り当てられた全ての外科手術手技のインジケーションを表示するステップをさらに含む、項目５４に記載の方法。
（項目６０）
前記割り当てられた外科手術手技のインジケーションは、前記時間期間全体を通した外科手術手技のスパンを示すＧａｎｔｔ式チャートを備える、項目５９に記載の方法。
（項目６１）
前記割り当てられた外科手術手技のインジケーションは、前記外科手術手技と関連付けられる推定される時間の長さが更新されると、前記時間期間全体を通してリアルタイムで更新される、項目５９に記載の方法。
（項目６２）
前記複数の外科手術手技の少なくとも第１の外科手術手技中、前記第１の外科手術手技を完了するための時間の長さの推定を更新するステップであって、前記第１の外科手術手技は、第１の割り当てられた外科手術チームおよび第１の手術室と関連付けられる、ステップと、
前記第１の外科手術手技の新しい推定された時間の長さに基づいて、潜在的対立または障害が、共通または並行する必要性に基づいて、前記第１の外科手術手技ならびに対応する外科手術チームおよび手術室と第２の外科手術手技ならびに対応する外科手術チームおよび手術室との間に生じるであろうことを判定するステップと、
前記潜在的対立を判定するステップに応答して、前記障害または対立を回避するために、リアルタイムで前記第１の外科手術手技または第２の外科手術手技のいずれかの前記外科手術チームまたは前記外科手術チームと関連付けられるワークフローを修正するステップと、
をさらに含む、項目５８に記載の方法。
（項目６３）
前記割り当てられた個別の外科手術チームに基づいて、各外科手術手技を完了するための時間の長さを推定するステップをさらに含み、前記複数の外科手術手技は、外科手術手技の推定された時間の長さに基づいて、前記少なくとも１つの手術室に割り当てられる、項目５４に記載の方法。
（項目６４）
前記複数の外科手術チームメンバーおよび前記複数の外科手術手技は、手術室回転率に基づいて割り当てられる、項目５４に記載の方法。
（項目６５）
前記複数の外科手術チームメンバーおよび前記複数の外科手術手技は、時間の関数としての手術室コストに基づいて割り当てられる、項目５４に記載の方法。
（項目６６）
前記複数の外科手術チームメンバーおよび前記複数の外科手術手技は、外科手術チーム技能に基づいて割り当てられる、項目５４に記載の方法。
（項目６７）
前記複数の外科手術チームメンバーおよび前記複数の外科手術手技は、外科手術チームメンバーの疲労レベルに基づいて割り当てられる、項目５４に記載の方法。
（項目６８）
前記複数の外科手術チームメンバーおよび前記複数の外科手術手技は、休憩時間に関する法的または職場要件に基づいて割り当てられる、項目５４に記載の方法。
（項目６９）
前記少なくとも１つの手術室は、複数の手術室であり、前記方法はさらに、前記複数の外科手術チームメンバーの第１の外科医を第１の手術室内の第１の外科手術手技および第２の手術室内の第２の外科手術手技に割り当てるステップを含み、前記第１の外科手術手技および第２の外科手術手技は、重複する、項目５４に記載の方法。
（項目７０）
前記第１の外科医は、前記第１の手術室および第２の手術室に割り当てられ、したがって、前記第１の外科医は、前記第１の外科手術手技および前記第２の外科手術手技の個別の重要な段階のために存在する、項目６９に記載の方法。
（項目７１）
外科手術手技の重要な段階は、重要な意思決定および高レベルの外科手術リスクと相関される、項目７０に記載の方法。
（項目７２）
前記外科手術手技の重要な段階は、ユーザによって入力される、項目７０に記載の方法。
（項目７３）
前記外科手術手技の重要な段階は、前記プロセッサによって、以前の外科手術手技からのデータに基づいて、分析的に判定される、項目７０に記載の方法。
（項目７４）
前記外科手術手技の重要な段階は、前記以前の外科手術手技から器具使用のパターンを認識するステップに基づいて判定される、項目７３に記載の方法。
（項目７５）
前記外科手術手技の重要な段階は、前記以前の外科手術手技から外科医移動またはジェスチャのパターンを認識するステップに基づいて判定される、項目７３に記載の方法。
（項目７６）
前記外科手術手技の重要な段階は、機械学習に基づいて判定される、項目７０に記載の方法。
（項目７７）
前記外科手術手技の重要な段階は、ディープラーニングに基づいて判定される、項目７０に記載の方法。
（項目７８）
外科手術チームメンバーの実績を評価するための方法であって、
過去の外科手術手技に関連する外科手術データを受信するステップと、
プロセッサによって、前記外科手術データに基づいて、前記チームメンバーの実績を判定するステップと、
を含む、方法。
（項目７９）
前記チームメンバーの実績のインジケーションを出力するステップをさらに含む、項目７８に記載の方法。
（項目８０）
ユーザに、前記チームメンバーの実績のインジケーションを表示するステップをさらに含む、項目７８に記載の方法。
（項目８１）
前記チームメンバーは、外科技師であり、前記外科技師の過去の実績は、外科医が器具を待機しなければならない長さに関連する、項目７８に記載の方法。
（項目８２）
前記チームメンバーは、手術室看護師であり、前記手術室看護師の過去の実績は、手術室看護師が退出する必要がある頻度または時間の長さおよび回収されたアイテムの性質に関連する、項目７８に記載の方法。
（項目８３）
前記チームメンバーは、外科技師であり、前記外科技師の過去の実績は、外科医が器具を待機しなければならない長さまたは外科医が自身で器具を把持する頻度に関連する、項目７８に記載の方法。
（項目８４）
前記チームメンバーは、エステティシャンであり、前記エステティシャンの過去の実績は、外科手術のために患者を準備する際の遅延および過去の外科手術手技中のエステティシャン間の交代に関連する、項目７８に記載の方法。
（項目８５）
前記チームメンバーは、外科医、補助外科医、または研修医である、項目７８に記載の方法。
（項目８６）
前記外科医の実績のインジケーションは、以下の時間期間、すなわち、
切開の時間までの患者が手術室に収容されている時間と、
外科手術手技の時間が終了するまでの切開の時間と、
患者が前記手術室から出るまでの切開閉鎖の時間と、
前の患者が前記手術室から出てから、次の患者が前記手術室に収容され得るまでの時間と、
のサブセットに関連する、項目８５に記載の方法。
（項目８７）
前記外科手術データは、縫合データを含み、前記縫合データは、切開部を閉鎖するために前記外科医によって使用された針の数および前記針が使用されていたときの時間の長さを備える、項目８５に記載の方法。
（項目８８）
前記外科医の実績は、閉鎖の速度を含み、前記閉鎖の速度は、使用された針の数および前記針が使用されていたときの時間に基づく、項目８７に記載の方法。
（項目８９）
前記閉鎖の速度は、第１の針を分配するステップから前記第１の針を収納するステップまでの時間に基づく、項目８７に記載の方法。
（項目９０）
前記閉鎖の速度は、第１の針を収納するステップと第２の針を分配するステップとの間の時間に基づく、項目８７に記載の方法。
（項目９１）
前記外科医の実績は、切開の長さを含み、前記切開の長さは、使用された縫合糸の数に基づく、項目８７に記載の方法。
（項目９２）
前記縫合データは、使用された縫合糸のタイプを含む、項目８７に記載の方法。
（項目９３）
前記縫合データは、縫合された組織のタイプを含む、項目８７に記載の方法。
（項目９４）
前記外科手術データは、過去の外科手術手技に関連する患者データを備え、前記外科医の実績を判定するステップは、前記患者データに基づく、項目７８に記載の方法。
（項目９５）
前記患者データは、患者の体脂肪レベルのインジケーションを含む、項目９４に記載の方法。
（項目９６）
前記患者の体脂肪レベルのインジケーションは、患者の体重、身長、ＢＭＩ、または体脂肪パーセンテージのうちの少なくとも１つを備える、項目９５に記載の方法。
（項目９７）
体脂肪レベルは、切開閉鎖データと相関される、項目９５に記載の方法。
（項目９８）
前記患者データは、患者の年齢または性別を含む、項目９４に記載の方法。
（項目９９）
前記患者データは、患者の皮膚関連疾患または病気を含む、項目９４に記載の方法。
（項目１００）
前記患者データは、患者の以前の外科手術を含む、項目９４に記載の方法。
（項目１０１）
前記患者データは、患者の瘢痕組織を含む、項目９４に記載の方法。
（項目１０２）
前記患者データは、患者によって服用される薬物を含む、項目９４に記載の方法。
（項目１０３）
前記患者データは、患者が受ける医療処置を含む、項目９４に記載の方法。
（項目１０４）
前記医療処置は、化学療法を含む、項目１０２−１０３のいずれかに記載の方法。
（項目１０５）
前記外科手術データは、運動データを含み、前記運動データは、過去の外科手術手技中に手術室内で記録された移動に対応する、項目７８に記載の方法。
（項目１０６）
前記運動データに基づいて、前記外科手術手技中の前記外科医の待機する期間または無駄時間を判定するステップをさらに含む、項目１０５に記載の方法。
（項目１０７）
前記待機する期間を判定するステップは、前記外科手術手技中の前記外科医の肢の移動を分析するステップに基づく、項目１０５に記載の方法。
（項目１０８）
前記待機する期間を判定するステップは、前記外科手術手技中の前記外科医以外の別の当事者の肢の移動を分析するステップに基づく、項目１０７に記載の方法。
（項目１０９）
待機する期間は、外科手術チームの別のメンバーからの行為を待機する間、外科医が非活動的であることに対応する、項目１０６に記載の方法。
（項目１１０）
前記待機する期間を判定するステップは、前記外科手術手技中に前記外科医によって使用される１つまたはそれを上回るツールの移動を分析するステップに基づく、項目１０５に記載の方法。
（項目１１１）
前記１つまたはそれを上回るツールの移動は、光学認識、ＲＦＩＤ、導電率、誘導、または聴覚的手掛かりのうちの１つまたはそれを上回るものに基づいて判定される、項目１１０に記載の方法。
（項目１１２）
前記光学認識は、機械可読コード、色コード、または物体認識に基づく、項目１１１に記載の方法。
（項目１１３）
前記外科手術データは、外科手術手技データを含み、前記外科手術手技データは、過去の外科手術手技と関連付けられるタイプ、複雑性、難易度、成功率、または平均手技長さのうちの少なくとも１つを備える、項目７８に記載の方法。
（項目１１４）
外科手術手技に関連する手術室内のワークフローを判定するための方法であって、前記方法は、
前記外科手術手技中の前記手術室内の器具の使用と、
前記外科手術手技中の前記手術室内のオーディオ、画像、またはビデオと、
前記外科手術手技中の前記手術室内の人員と、
のうちの少なくとも１つに関連する手術室データを記録するステップを含む、方法。
（項目１１５）
前記手術室データに基づいて、グラフを生成するステップをさらに含み、前記グラフは、時間の関数として前記手術室データを描写する、項目１１４に記載の方法。
（項目１１６）
前記グラフは、双方向性である、項目１１５に記載の方法。
（項目１１７）
コンピュータネットワークを経由して、前記グラフを出力するステップをさらに含む、項目１１５に記載の方法。
（項目１１８）
前記グラフをユーザに表示するステップをさらに含む、項目１１５に記載の方法。
（項目１１９）
前記グラフは、統一タイムラインに従って、２つまたはそれを上回るタイプの手術室データからのイベントを並置する、項目１１５に記載の方法。
（項目１２０）
プロセッサによって、前記手術室データのタイプ間の関連するイベントのグループを判定するステップをさらに含む、項目１１５に記載の方法。
（項目１２１）
前記データのタイプ間の関連するイベントを判定するステップは、時間における相関またはイベント間の因果関係のうちの１つまたはそれを上回るものに基づく、項目１２０に記載の方法。
（項目１２２）
前記器具の使用に関連する手術室データを記録するステップは、項目２２−２８のうちのいずれかに関連する縫合パックデータを記録するステップを含む、項目１１４に記載の方法。
（項目１２３）
前記器具の使用に関連する手術室データを記録するステップは、新しい器具の開放を記録するステップを含む、項目１１４に記載の方法。
（項目１２４）
前記器具の使用に関連する手術室データを記録するステップは、前記外科手術手技中の特定の時間に開放されている器具の数を追跡するステップを含む、項目１１４に記載の方法。
（項目１２５）
前記器具の使用に関連する手術室データを記録するステップは、前記外科手術手技中の特定の時間に近接した術野内にある器具の数を追跡するステップを含む、項目１１４に記載の方法。
（項目１２６）
前記手術室内の器具の使用に関連する手術室データを記録するステップは、前記手術室内の人員の運動を監視するステップを含む、項目１１４に記載の方法。
（項目１２７）
前記器具の使用に関連する手術室データを記録するステップは、前記手術室内の１つまたはそれを上回る器具から前記患者に指向されるエネルギーの流量を記録するステップを含む、項目１２６に記載の方法。
（項目１２８）
前記エネルギーは、ｘ線エネルギー、熱エネルギー、レーザエネルギー、無線周波数エネルギー、または超音波エネルギーのうちの少なくとも１つを含む、項目１２７に記載の方法。
（項目１２９）
前記１つまたはそれを上回る器具は、電気焼灼ペン、蛍光透視鏡、ｘ線機械、レーザ、または超音波トランスデューサを含む、項目１２７に記載の方法。
（項目１３０）
前記手術室内の器具の使用を記録するステップは、前記手術室内の１つまたはそれを上回る器具からの液体の患者の中への流量またはその中の合計体積を記録するステップを含む、項目１２６に記載の方法。
（項目１３１）
前記液体は、血液、血漿、生理食塩水、麻酔剤、鎮痛剤、血液希釈剤、または抗生物質のうちの少なくとも１つを含む、項目１３０に記載の方法。
（項目１３２）
オーディオ、画像、またはビデオに関連する手術室データを記録するステップは、１つまたはそれを上回る記録デバイスを用いて記録するステップを含む、項目１１４に記載の方法。
（項目１３３）
前記１つまたはそれを上回る記録デバイスの第１のデバイスによって記録するステップは、前記外科手術手技全体を通して連続的であり、第２のデバイスから記録するステップは、前記外科手術手技中に起動または停止される、項目１３２に記載の方法。
（項目１３４）
前記第２の記録デバイスは、少なくとも、運動起動される、音起動される、声起動される、または前記外科手術手技の特定の段階に到達することに基づいて起動される、項目１３３に記載の方法。
（項目１３５）
前記手術室内の人員に関連する手術室データを記録するステップは、前記手術室内の人員の存在または不在を記録するステップを含む、項目１１４に記載の方法。
（項目１３６）
前記手術室内の人員に関連する手術室データを記録するステップは、人員が適切な外科手術用服装をしているかどうか、およびどの人員が適切な外科手術用服装をしているかを記録するステップを含む、項目１１４に記載の方法。
（項目１３７）
前記手術室内の人員の存在または不在を記録するステップは、前記手術への到着およびそれからの離脱を監視するステップに基づく、項目１１４に記載の方法。
（項目１３８）
前記到着および離脱は、前記手術室の少なくとも１つの扉と関連付けられる、項目１３７に記載の方法。
（項目１３９）
前記到着および離脱は、前記手術室への、およびそれからの個別の扉と関連付けられる、項目１３７に記載の方法。
（項目１４０）
前記到着および離脱を監視するステップは、到着および離脱のカウントを維持するステップを含む、項目１３７に記載の方法。
（項目１４１）
前記到着および離脱を監視するステップは、前記手術室の扉の開放のカウントを維持するステップを含む、項目１３７に記載の方法。
（項目１４２）
前記到着および離脱を監視するステップは、前記手術室の扉が開放している、または開放された時間の長さを判定するステップを含む、項目１３７に記載の方法。
（項目１４３）
前記到着および離脱を監視するステップは、前記手術室の扉が開放された量、程度、または範囲を判定するステップを含む、項目１３７に記載の方法。
（項目１４４）
前記到着および離脱を監視するステップは、前記手術室の扉の開放に関連する手術室の湿度の変化を判定するステップを含む、項目１３７に記載の方法。
（項目１４５）
前記到着および離脱を監視するステップは、個人が滅菌または準滅菌扉を通して進入する前に適切に手洗い消毒されているかどうかを監視するステップを含む、項目１３７に記載の方法。
（項目１４６）
前記手術室は、滅菌扉および非滅菌扉を有し、前記方法はさらに、人員が前記適切な扉を通して進入または退出することを確実にするステップを含む、項目１３７に記載の方法。
（項目１４７）
前記到着および手術室からの離脱は、手術室人員のバッジまたはＩＤを走査するステップに基づいて判定される、項目１１４に記載の方法。
（項目１４８）
前記到着および手術室からの離脱は、光学認識に基づいて判定される、項目１１４に記載の方法。
（項目１４９）
前記到着および手術室からの離脱は、人員が前記手術室にサインインすることに基づいて判定される、項目１１４に記載の方法。
（項目１５０）
前記外科手術手技中に前記手術室内で患者のバイタルに関連する手術室データを記録するステップをさらに含む、項目１１４に記載の方法。
（項目１５１）
前記バイタルは、前記外科手術手技中の前記患者による血液損失の量を含む、項目１５０に記載の方法。
（項目１５２）
前記バイタルは、前記外科手術手技中に前記患者から収集された尿の量を含む、項目１５０に記載の方法。
（項目１５３）
前記収集された尿は、項目１９４−２００のいずれかに記載のシステムに基づく、項目１５２に記載の方法。
（項目１５４）
前記外科手術手技中に前記手術室内で環境条件に関連する手術室データを記録するステップをさらに含む、項目１１４に記載の方法。
（項目１５５）
前記環境条件は、前記手術室の温度、湿度、または光レベルのうちの少なくとも１つを含む、項目１５４に記載の方法。
（項目１５６）
前記手術室データを分析するステップに基づいて、前記手術室の清浄度監査を実施するステップをさらに含む、項目１１４に記載の方法。
（項目１５７）
前記外科手術手技前に、前記手術室の第１の画像を捕捉するステップと、
前記外科手術手技後に、前記手術室の第２の画像を捕捉するステップと、
前記第１の画像を前記第２の画像と比較するステップに基づいて、前記外科手術手技中の前記手術室の清浄度の変化を判定するステップと、
をさらに含む、項目１５６に記載の方法。
（項目１５８）
前記第１の画像は、前記外科手術手技に先行して捕捉される「前」画像である、項目１５７に記載の方法。
（項目１５９）
前記第１の画像は、複数の外科手術手技後に捕捉される画像との比較のために使用される、一般基準画像である、項目１５７に記載の方法。
（項目１６０）
前記第１の画像および第２の画像を比較するステップは、
前記手術室内の基準点のセットを提供するステップと、
前記基準点に対応する前記第１の画像および第２の画像の部分を分析するステップと、
を含む、項目１５７に記載の方法。
（項目１６１）
前記基準点のセットは、同一の手術室内の連続的外科手術手技間で変更される、項目１６０に記載の方法。
（項目１６２）
前記基準点のセットは、外科手術手技間でランダム化される、項目１６０に記載の方法。
（項目１６３）
前記基準点は、外科手術手技のタイプに基づいて選定される、項目１６０に記載の方法。
（項目１６４）
前記基準点は、前記オーディオ、画像、またはビデオデータを精査するステップ、前記オーディオ、画像、またはビデオデータ内のイベントを前記手術室内の１つまたはそれを上回る場所と関連付けるステップ、および前記１つまたはそれを上回る場所に基づいて基準点を選択するステップに基づいて選定される、項目１６０に記載の方法。
（項目１６５）
前記手術室内で外科手術手技を実施する外科手術チームの実績は、清浄度の判定に基づく、項目１５７に記載の方法。
（項目１６６）
前記外科手術手技後、滅菌される前に、前記手術室の第１の画像を捕捉するステップと、
前記外科手術手技後、滅菌された後に、前記手術室の第２の画像を捕捉するステップと、
前記第１の画像を前記第２の画像と比較するステップに基づいて、前記外科手術手技中の前記手術室の清浄度の変化を判定するステップと、
をさらに含む、項目１５６に記載の方法。
（項目１６７）
外科手術手技後に手術室を滅菌する滅菌チームの実績は、清浄度の判定に基づく、項目１６６に記載の方法。
（項目１６８）
前記清浄度監査は、前記手術室データに基づいて、前記外科手術手技中に使用される１つまたはそれを上回る外科手術用器具または機器を識別するステップに基づく、項目１５６に記載の方法。
（項目１６９）
保持される異物を防止するために、前記外科手術手技中に器具の使用を調整するステップをさらに含み、前記調整するステップは、前記手術室データに基づいて、前記外科手術手技中に使用される複数の器具を、各個別の器具の初期開放または取扱から前記個別の器具を廃棄する、または最後に置くまで追跡するステップを含む、項目１１４に記載の方法。
（項目１７０）
外科手術手技中に手術室内の人員を監視するためのシステムであって、
センサと、
プロセッサと、
メモリと、
を備える、システム。
（項目１７１）
前記人員は、外科医、補助外科医、外科技師、麻酔専門医、麻酔技師、看護師、または助手のうちの１人またはそれを上回る人を含む、項目１７０に記載のシステム。
（項目１７２）
前記センサは、走査装置を含む、項目１７０に記載のシステム。
（項目１７３）
前記走査装置は、バッジ、ＲＦＩＤ、機械可読コード、またはバイオメトリック信号のうちの少なくとも１つを走査するように構成される、項目１７２に記載のシステム。
（項目１７４）
前記走査装置は、前記手術室の入口または出口の範囲内に位置付けられる、項目１７２に記載のシステム。
（項目１７５）
前記走査装置は、滅菌チェックポイントの範囲内に位置付けられる、項目１７２に記載のシステム。
（項目１７６）
前記センサは、カメラを含む、項目１７０に記載のシステム。
（項目１７７）
前記カメラおよびプロセッサは、前記手術室内の人員を検出するように構成される、項目１７６に記載のシステム。
（項目１７８）
前記カメラおよびプロセッサは、前記手術室内の人員を認識するように構成される、項目１７６に記載のシステム。
（項目１７９）
前記カメラおよびプロセッサは、前記手術室内の人員の場所を追跡するように構成される、項目１７６に記載のシステム。
（項目１８０）
前記プロセッサは、前記手術室内の人員の数を追跡するように構成される、項目１７２に記載のシステム。
（項目１８１）
前記プロセッサは、前記手術室内の人員のタイプを追跡するように構成される、項目１７２に記載のシステム。
（項目１８２）
前記プロセッサは、前記手術室内の人員の識別を追跡するように構成される、項目１７２に記載のシステム。
（項目１８３）
前記プロセッサはさらに、ある人員が前記外科手術手技のある段階中に存在するかどうかを判定するように構成される、項目１７０に記載のシステム。
（項目１８４）
前記外科手術手技の段階は、
切開の時間までの患者が手術室に収容されている時間と、
外科手術手技の時間が終了するまでの切開の時間と、
患者が前記手術室から出るまでの切開閉鎖の時間と、
前の患者が前記手術室から出てから次の患者が前記手術室に収容され得るまでの時間と、
のうちの１つまたはそれを上回るものによって定義される、項目１８３に記載のシステム。
（項目１８５）
ある人員は、外科医であり、前記ある段階は、前記外科手術手技の重要な段階である、項目１８３に記載のシステム。
（項目１８６）
前記カメラは、前記外科手術手技をその全体として記録するように構成される、項目１７６に記載のシステム。
（項目１８７）
前記カメラは、前記外科手術手技の特定の段階を記録するように構成される、項目１７６に記載のシステム。
（項目１８８）
前記カメラは、前記外科手術手技の一部を記録するように構成され、前記カメラは、運動起動される、音起動される、声起動される、または前記外科手術手技の特定の段階に到達することに基づいて起動されるうちの１つまたはそれを上回るものである、項目１７６に記載のシステム。
（項目１８９）
前記カメラおよびプロセッサは、前記外科手術手技中に使用される器具を認識するように構成される、項目１７６に記載のシステム。
（項目１９０）
前記カメラおよびプロセッサは、前記人員の移動またはジェスチャを認識するように構成される、項目１７６に記載のシステム。
（項目１９１）
前記システムは、前記使用される器具または前記人員の移動またはジェスチャに基づいて、前記外科手術手技の段階を判定するように構成される、項目１０５または１９０に記載のシステム。
（項目１９２）
前記システムは、前記使用される器具または前記人員の移動またはジェスチャに基づいて、前記外科手術手技と関連付けられる無駄時間を判定するように構成される、項目１０５または１９０に記載のシステム。
（項目１９３）
手術室フローをマッピングするためのシステムであって、
メモリと、
１つまたはそれを上回るセンサと、
項目１１４−１５５のいずれかに記載の方法を実施するための命令とともに構成される、プロセッサと、
を備える、システム。
（項目１９４）
外科手術手技中に患者によって経時的に収集される尿を追跡するためのシステムであって、
尿貯蔵容器と、
センサと、
メモリと、
事前選択された間隔において、または信号の変化に基づいて、前記貯蔵容器によって収集される尿の体積を記憶するように構成される、プロセッサと、
を備える、システム。
（項目１９５）
前記センサは、前記尿貯蔵容器とは別個である、項目１９４に記載のシステム。
（項目１９６）
前記センサは、前記尿貯蔵容器と一体である、項目１９４に記載のシステム。
（項目１９７）
前記センサは、前記尿貯蔵容器と、前記尿貯蔵容器を懸下構成において支持するように構成されるホルダとの間に配置される圧力トランスデューサを備える、項目１９４に記載のシステム。
（項目１９８）
前記センサは、前記尿貯蔵容器の入口において配置される流量計である、項目１９４に記載のシステム。
（項目１９９）
スポンジが、
前記スポンジによって収集される尿の体積を判定するための、感知および制御回路と、
前記感知および制御回路に給電するための、電源と、
を備える、項目１９４に記載のシステム。
（項目２００）
前記システムはさらに、視覚ディスプレイを備え、前記プロセッサは、前記スポンジによって収集される尿の現在の体積のインジケーションを前記視覚ディスプレイ上に出力するように構成される、項目１９４に記載のシステム。
参照による組み込み